(57)【要約】【課題】エレベータ管理階床データの設定のみに使用する装置を不要とすることができるエレベータの信号伝送装置を提供する。【解決手段】エレベータの制御盤５に設けられた親局と、エレベータの乗場の階床に対応付けられた子局と、親局が子局に対応付けられた階床を認識するためのエレベータ管理階床データを記憶する記憶手段と、を備え、子局は、エレベータ管理階床データが設定される際に、エレベータのかごが位置する階床を表す記号を表示するために子局に対応付けられた階床の乗場に設けられたインジケータに、各階床を表す記号を順々に表示させ、記憶手段は、エレベータ管理階床データの設定中に、エレベータの呼びを登録するために子局に対応付けられた階床の乗場に設けられた呼び釦１２が操作されると、操作された呼び釦１２が設けられた乗場のインジケータに表示されている記号に対応した階床を、操作された呼び釦１２が設けられた乗場の階床に対応付けられた子局のエレベータ管理階床データとして記憶する。【選択図】図３
2012066927.tif 000002
【特許請求の範囲】
【請求項１】
エレベータの制御盤に設けられた親局と、
前記エレベータの乗場の階床に対応付けられた子局と、
前記親局が前記子局に対応付けられた階床を認識するためのエレベータ管理階床データを記憶する記憶手段と、
を備え、
前記子局は、前記エレベータ管理階床データが設定される際に、前記エレベータのかごが位置する階床を表す記号を表示するために前記子局に対応付けられた階床の乗場に設けられたインジケータに、各階床を表す記号を順々に表示させ、
前記記憶手段は、前記エレベータ管理階床データの設定中に、前記エレベータの呼びを登録するために前記子局に対応付けられた階床の乗場に設けられた呼び釦が操作されると、操作された呼び釦が設けられた乗場のインジケータに表示されている記号に対応した階床を、前記操作された呼び釦が設けられた乗場の階床に対応付けられた子局のエレベータ管理階床データとして記憶することを特徴とするエレベータの信号伝送装置。
【請求項２】
前記子局は、前記対応付けられた階床の乗場に設けられたインジケータに、前記エレベータ管理階床データの設定中に前記対応付けられた階床の乗場に設けられた呼び釦が操作されたときに表示している記号の表示を一定時間継続させることを特徴とする請求項１記載のエレベータの信号伝送装置。
【請求項３】
前記子局は、前記対応付けられた階床の乗場に設けられた呼び釦が操作されたことにより前記記憶手段が前記エレベータ管理階床データを記憶した場合に、前記記憶手段が記憶した前記エレベータ管理階床データに対応する記号を前記対応付けられた階床の乗場に設けられたインジケータに点滅表示させることを特徴とする請求項１又は請求項２に記載のエレベータの信号伝送装置。
【発明の詳細な説明】
【技術分野】
【０００１】
この発明は、エレベータの信号伝送装置に関するものである。
【背景技術】
【０００２】
エレベータの制御盤には、親局マイクロコンピュータが設けられる。一方、エレベータの乗場の各階床には、乗場操作表示器具が設けられる。乗場操作表示器具には、子局マイクロコンピュータが設けられる。乗場の各階床には、エレベータ管理階床データが割り付けられる。
【０００３】
このようなエレベータにおいては、子局マイクロコンピュータは、乗場呼びに関する信号データを親局マイクロコンピュータに送信する。この際、信号データには、エレベータ階床管理データが対応付けられる。この信号データに対応付けられたエレベータ管理階床データに基づいて、親局マイクロコンピュータは、かごを移動させる階床を決定する。
【０００４】
このため、エレベータ管理階床データの認識が親局コンピュータと子局マイクロコンピュータとで異なると、間違った階床へかごを移動させることになる。このような誤動作をなくすためには、親局マイクロコンピュータと子局マイクロコンピュータとの両方でエレベータ管理階床データを共通認識する必要がある。すなわち、エレベータ管理階床データの設定は、エレベータを運行する際の重要項目である。
【０００５】
そこで、かごに投光器を備えるとともに、各乗場に受光器を備え、エレベータ管理階床データを設定する手段が提案されている。この手段によれば、まず、かごを停止階に停止させる。これにより、最下階乗場の受光器にかごの投光器が対向する。このとき、最下階乗場の制御基板上の書き込み許可発信装置は、書き込み許可信号を不揮発性メモリに出力する。これと同時に、親局マイクロコンピュータは、エレベータ管理階床データを出力する。このエレベータ管理階床データは、不揮発性メモリに書き込まれる。このような動作が各階床で実施される。これらの動作により、エレベータ管理階床データが自動で設定される（例えば、特許文献１参照）。
【先行技術文献】
【特許文献】
【０００６】
【特許文献１】特開２００２−３１０９号公報
【発明の概要】
【発明が解決しようとする課題】
【０００７】
しかしながら、特許文献１記載の投光器、受光器、書き込み許可発信装置は、エレベータ管理階床データの設定のみに使用される。これらの装置は、エレベータ管理階床データの設定後は使用されず、無駄となる。このため、エレベータ管理階床データを設定するコストが高くなる。
【０００８】
この発明は、上述のような課題を解決するためになされたもので、その目的は、エレベータ管理階床データの設定のみに使用する装置を不要とすることができるエレベータの信号伝送装置を提供することである。
【課題を解決するための手段】
【０００９】
この発明に係るエレベータの信号伝送装置は、エレベータの制御盤に設けられた親局と、前記エレベータの乗場の階床に対応付けられた子局と、前記親局が前記子局に対応付けられた階床を認識するためのエレベータ管理階床データを記憶する記憶手段と、を備え、前記子局は、前記エレベータ管理階床データが設定される際に、前記エレベータのかごが位置する階床を表す記号を表示するために前記子局に対応付けられた階床の乗場に設けられたインジケータに、各階床を表す記号を順々に表示させ、前記記憶手段は、前記エレベータ管理階床データの設定中に、前記エレベータの呼びを登録するために前記子局に対応付けられた階床の乗場に設けられた呼び釦が操作されると、操作された呼び釦が設けられた乗場のインジケータに表示されている記号に対応した階床を、前記操作された呼び釦が設けられた乗場の階床に対応付けられた子局のエレベータ管理階床データとして記憶するものである。
【発明の効果】
【００１０】
この発明によれば、エレベータ管理階床データの設定のみに使用する装置を不要とすることができる。
【図面の簡単な説明】
【００１１】
【図１】この発明の実施の形態１におけるエレベータの信号伝送装置の全体構成図である。
【図２】この発明の実施の形態１におけるエレベータの信号伝送装置に利用される乗場表示器制御装置の構成図である。
【図３】この発明の実施の形態１におけるエレベータの信号伝送装置を利用してエレベータ管理階床データを設定する方法を説明するためのフローチャートである。
【発明を実施するための形態】
【００１２】
この発明を実施するための形態について添付の図面に従って説明する。なお、各図中、同一又は相当する部分には同一の符号を付しており、その重複説明は適宜に簡略化ないし省略する。
【００１３】
実施の形態１．
図１はこの発明の実施の形態１におけるエレベータの信号伝送装置の全体構成図である。
図１において、１はエレベータの巻上機である。巻上機１は、エレベータの機械室や昇降路（ともに図示せず）に設けられる。巻上機１には、主ロープ２が巻き掛けられる。主ロープ２の一端には、エレベータのかご室３が連結される。主ロープ２の他端には、エレベータの釣り合いおもり４が連結される。
【００１４】
このようなエレベータにおいては、巻上機１の回転により、主ロープ２が移動する。この移動に追従して、かご室３と釣り合いおもり４とが昇降路内を上下移動する。これにより、エレベータの利用者は、かご室３を利用し、例えばＮ階とＮ＋階との間を行き来する。
【００１５】
次に、エレベータの信号直列伝送システムを説明する。
５はエレベータの制御盤である。制御盤５は、エレベータの機械室や昇降路に設けられる。制御盤５は、親局マイクロコンピュータ６、ＵＡＲＴ回路７を備える。親局マイクロコンピュータ６は、制御盤５内の制御基板に搭載される。ＵＡＲＴ回路７は、親局マイクロコンピュータ６の信号直列伝送用インターフェースとして機能する。
【００１６】
８は乗場表示器制御装置（乗場操作表示器具）である。乗場表示器制御装置８は、エレベータの乗場の各階床に設けられる。図１においては、Ｎ〜Ｎ＋２階の乗場表示器制御装置８が示される。Ｎ＋２階に示されるように、乗場表示器制御装置８は、子局マイクロコンピュータ９、ＵＡＲＴ回路１０、デジタルインジケータ１１、呼び釦１２、Ｉ／Ｆ回路１３、記憶領域（記憶手段）１４を備える。
【００１７】
子局マイクロコンピュータ９は、乗場表示器制御装置８内の基板に搭載される。ＵＡＲＴ回路１０は、子局マイクロコンピュータ９の信号直列伝送用インターフェースとして機能する。デジタルインジケータ１１は、かご室３が位置する階床を表す記号を表示する機能を備える。呼び釦１２は、操作された場合にエレベータの乗場呼びを登録する機能を備える。
【００１８】
Ｉ／Ｆ回路１３は、子局マイクロコンピュータ９がデジタルインジケータ１１や呼び釦１２を制御するためのインターフェースとして機能する。記憶領域１４は、親局マイクロコンピュータ６が子局マイクロコンピュータ９に対応付けられた階床を認識するためのエレベータ管理階床データを記憶する機能を備える。
【００１９】
制御盤５のＵＡＲＴ回路７と乗場表示器制御装置８のＵＡＲＴ回路１０とは、エレベータ信号伝送ライン１５を介して接続される。
【００２０】
次に、図２を用いて、デジタルインジケータ１１と呼び釦１２とを説明する。
図２はこの発明の実施の形態１におけるエレベータの信号伝送装置に利用される乗場表示器制御装置の構成図である。
【００２１】
図２に示すように、デジタルインジケータ１１は、かご室３が位置する階床を表す記号として、階床フォントを表示する。図２においては、デジタルインジケータ１１は、「３」を表示している。これにより、乗場にいる利用者は、かご室３が３階に位置していることを認識する。
【００２２】
図２に示すように、呼び釦１２は、２つの釦を備える。上側の釦には、上向きの矢印が表示される。下側の釦には、下向きの矢印が表示される。上昇方向に移動したい利用者は、上側の釦が操作することにより、上昇方向の乗場呼びを登録する。下降方向に移動したい利用者は、下側の釦が操作することにより、上昇方向の乗場呼びを登録する。
【００２３】
このようなエレベータにおいては、呼び釦１２が操作されると、子局マイクロコンピュータ９が信号データを送信する。この信号データには、エレベータ管理階床データが対応付けられる。この信号データに基づいて、親局マイクロコンピュータ６は、かご室３を移動させる指示を巻上機１に出力する。
【００２４】
このため、エレベータ管理階床データの認識が親局コンピュータと子局マイクロコンピュータ９とで異なると、間違った階床へかご室３を移動させることになる。この誤動作をなくすためには、親局マイクロコンピュータ６と子局マイクロコンピュータ９との両方でエレベータ管理階床データを共通認識する必要がある。
【００２５】
このように、エレベータ管理階床データの設定は、エレベータを運行する際の重要項目である。そこで、本実施の形態においては、簡単な方法で、エレベータ管理階床データの設定を行えるようにした。以下、図３を用いて、本実施の形態におけるエレベータ管理階床データの設定方法を説明する。
【００２６】
図３はこの発明の実施の形態１におけるエレベータの信号伝送装置を利用してエレベータ管理階床データを設定する方法を説明するためのフローチャートである。
本処理は、各階床において、階床設定モード時に行われる。本処理は、電源が遮断するまで繰り返される。
【００２７】
具体的には、ステップＳ１で、子局マイクロコンピュータ９は、記憶領域１４に記憶されたエレベータ管理階床データが０か否かを判別する。エレベータ管理階床データが０の場合は、ステップＳ２に進む。
【００２８】
ステップＳ２では、子局マイクロコンピュータ９は、デジタルインジケータ１１に特殊な表示を行わせる。具体的には、子局マイクロコンピュータ９は、デジタルインジケータ１１に、各階床表示データに基づいた記号を順々にスクロール表示させる。これにより、デジタルインジケータ１１は、例えば、最下階の１階から最上階のＭ階までの階床を表す記号「１」、「２」、・・・、「Ｍ」を順々に表示する。
【００２９】
その後、ステップＳ３に進み、子局マイクロコンピュータ９は、階床表示データが選択されたか否かを判別する。この選択は、デジタルインジケータ１１に階床表示データに基づいた記号が表示されているときに、呼び釦１２を押すことにより行われる。例えば、最下階の１階では、デジタルインジケータ１１に「１」が表示されているときに、呼び釦１２を押せば、「１」が選択される。
【００３０】
階床表示データが選択されるまでは、ステップＳ２でデジタルインジケータ１１が各階床表示データに基づいた記号のスクロール表示を継続する。階床表示データが選択された場合は、ステップＳ４に進む。ステップＳ４では、子局マイクロコンピュータ９は、デジタルインジケータ１１に、選択された階床表示データに基づいた記号のみを一定時間継続して表示させる。その後、ステップＳ５に進み、子局マイクロコンピュータ９は、選択された階床表示データのコードを親局マイクロコンピュータ６に送信する。
【００３１】
その後、ステップＳ６に進み、親局マイクロコンピュータ６は、階床表示データのコードをエレベータ管理階床データに変換する。その後、ステップＳ７に進み、親局マイクロコンピュータ６は、階床表示データのコードを送信した子局マイクロコンピュータ９にエレベータ管理階床データを送信する。
【００３２】
その後、ステップＳ８に進み、エレベータ管理階床データを受信した子局マイクロコンピュータ９は、デジタルインジケータ１１に、エレベータ管理階床データに対応する記号を点灯表示させる。その後、ステップＳ９に進み、記憶領域１４は、エレベータ管理階床データを記憶する。これにより、エレベータ管理階床データの設定が完了する。
【００３３】
その後、ステップＳ１に戻り、子局マイクロコンピュータ９は、記憶領域１４に記憶されたエレベータ管理階床データが０か否かを判別する。エレベータ管理階床データの設定が完了していれば、記憶領域１４に記憶されたエレベータ管理階床データは０でなくなる。この場合は、ステップＳ１０に進む。ステップＳ１０では、子局マイクロコンピュータ９は、デジタルインジケータ１１に、エレベータのかご室３が位置する階床を表す記号を表示させる。
【００３４】
以上で説明した実施の形態１によれば、エレベータ管理階床データの設定中に、子局マイクロコンピュータ９は、デジタルインジケータ１１に、各階床を表す記号を順々に表示させる。この際に呼び釦１２が操作されると、デジタルインジケータ１１に表示されている記号に対応した階床が、子局マイクロコンピュータ９のエレベータ管理階床データとして記憶領域１４に記憶される。
【００３５】
このように、本実施の形態においては、もともと他の機能でエレベータに必要なデジタルインジケータ１１と呼び釦１２を利用して、エレベータ管理階床データを設定することができる。すなわち、本実施の形態においては、エレベータ管理階床データの設定のみに使用する装置を不要とすることができる。これにより、エレベータ管理階床データに使用した機器を二度と使わないといった無駄を省くことができる。このため、エレベータ管理階床データを設定するコストを大幅に低くすることができる。
【００３６】
また、デジタルインジケータ１１は、エレベータ管理階床データの設定中に呼び釦１２が操作されたときに表示している記号の表示を一定時間継続する。このため、エレベータの据付作業者や保守作業者は、選択された階床を視認することができる。さらに、デジタルインジケータ１１は、記憶領域１４が記憶したエレベータ管理階床データに対応する記号を点滅表示させる。このため、エレベータの据付作業者や保守作業者は、設定されたエレベータ管理階床データを確認することができる。すなわち、これらの表示によって、エレベータ管理階床データの設定時間を大幅に短縮することができる。また、エレベータ管理階床データの設定間違いを防止することができる。
【符号の説明】
【００３７】
１  巻上機
２  主ロープ
３  かご室
４  釣り合いおもり
５  制御盤
６  親局マイクロコンピュータ
７  ＵＡＲＴ回路
８  乗場表示器制御装置
９  子局マイクロコンピュータ
１０  ＵＡＲＴ回路
１１  デジタルインジケータ
１２  呼び釦
１３  Ｉ／Ｆ回路
１４  記憶領域
１５  エレベータ信号伝送ライン
【図１】
2012066927.tif 000003
【図２】
2012066927.tif 000004
【図３】
2012066927.tif 000005